(57)【要約】  【課題】  より的確に、且つ、より簡便に皮膚の面皰の起こしやすさを鑑別できる手段が提供する。これにより的確な、且つ、より簡便な、皮膚の面皰の起こしやすさの鑑別により、肌に適した化粧料を選択することが出来、以て、不適切な化粧料の選択により、重篤な面皰を発生するのを防ぐ。  【解決手段】  皮膚の皮膚の皮脂量と、水分量を指標とすることを特徴とする、面皰の出来やすさを鑑別する。具体的には、皮膚の皮脂量と水分量とを測定し、得られた測定値を、皮脂量を示す軸と水分量を示す軸が作る座標平面上にプロットし、プロット特性より判定することが好ましい。  【選択図】  なし【特許請求の範囲】
【請求項１】
皮膚の皮膚の皮脂量と、水分量を指標とすることを特徴とする、面皰の出来やすさの鑑別法。
【請求項２】
皮膚の皮脂量と水分量とを測定し、得られた測定値を、皮脂量を示す軸と水分量を示す軸が作る座標平面上にプロットし、プロット特性より判定することを特徴とすることを特徴とする、請求項１に記載の鑑別法。
【請求項３】
請求項２に記載の鑑別法において、予め、皮膚の水分量軸と、皮脂量軸の作る座標平面に、面皰を起こしやすい人達の群のデータと、正常な肌の人たちの群のデータとを両者のプロットが区別できる状況にプロットしておき、被験者の皮膚の水分量と皮脂量の座標をプロットし、どちらの群に属する方が妥当かを判断することを特徴とする、請求項２に記載の鑑別法。
【発明の詳細な説明】
【技術分野】
【０００１】
本発明は、皮膚に於ける、その皮膚の面皰の出来やすさの鑑別法に関し、更に詳細には、皮膚の皮脂量と水分量とを指標とする、皮膚に於ける、その皮膚の面皰の出来やすさの鑑別法に関する。
【背景技術】
【０００２】
面皰は、別名尋常性挫創とも言われ、皮膚に於ける一般的な異常な状態の一つであり、かかる面皰の存在の有無が、その肌状態に適した化粧料の選択においては、重要な因子となっている。（例えば、特許文献１、特許文献２、特許文献３を参照）この為、面皰の有無を的確に判定することが、化粧料選択においては非常に重要な事項となっている。通常面皰は、明確に存在すれば、肉眼観察などによって、容易に判別することが出来るが、明確に生じる前、或いは、生じつつある状況によっては判別が困難であり、面皰が存在するか否か、或いは、面皰の存在量が多いか、少ないかと言った、直接的な状況ではなく、「過去において、多く存在したことがあるか否か」或いは「人に比べて面皰が出来やすい体質であると認識しているか否か」等の関連すると思われる他の代用特性を用いて判別に代えさせて、化粧料選択に供しているのが現状である。これが原因となっているためか、一部には、「面皰の出来やすい人は化粧品トラブルも起こしやすい」と言う通説も存する。これは偏に、代用特性が的確に面皰の起こしやすさの特性を代替していないためと考えられる。この為、より的確に皮膚の面皰の起こしやすさを鑑別できる手段の開発が望まれていた。
【０００３】
この様な背景のもとに、皮膚の面皰の出来やすさの鑑別法が種々考案されている。この様な考案としては、例えば、ＣＴＨ２とＰＧＤ２とを接触させてその結合特性より面皰の出来やすさを判別する方法（例えば、特許文献４を参照）、紫外線照射により、アクネ菌の存在の位置、程度を鑑別し、面皰の出来やすさを判別する方法（例えば、特許文献５を参照）、核磁気共鳴により、面皰の出来やすさを鑑別する方法（例えば、特許文献６を参照）などが存するが、何れも、エライザ、核磁気共鳴装置などの大がかりな装置を必要としたり、的確性の極めて低いものであったりして、実用には適さないものが殆どであった。
【０００４】
一方、皮膚の皮脂量の測定装置、或いは、皮膚の水分量の測定装置は、汎用の安価な機器として市販されており、鑑別の為の使用には支障が存しないし、皮脂量、及び、水分量を指標として、皮膚の面皰の出来やすさを鑑別する方法は全く知られていなかった。
【０００５】
【特許文献１】特開２０００−２０１８９９号公報
【特許文献２】特開平１１−２８１９３号公報
【特許文献３】特開平８−２９９２８８号公報
【特許文献４】特開２００２−９８７０２号公報
【特許文献５】特開平９−１７３０４８号公報
【特許文献６】特開平８−７５６８５号公報
【発明の開示】
【発明が解決しようとする課題】
【０００６】
本発明は、この様な状況下為されたものであり、より的確に、且つ、的確に皮膚の面皰の起こしやすさを鑑別できる手段を提供することを課題とする。
【課題を解決するための手段】
【０００７】
本発明者らは、この様な状況に鑑みて、より的確に、且つ、的確に皮膚の面皰の起こしやすさを鑑別できる手段を求めて、鋭意研究努力を重ねた結果、皮膚の皮脂量と水分量とを指標とし、鑑別することを特徴とする、鑑別法が、その様な特性を備えていることを見出し、発明を完成させるに至った。即ち、本発明は以下に示す技術に関するものである。
（１）皮膚の皮膚の皮脂量と、水分量を指標とすることを特徴とする、面皰の出来やすさの鑑別法。
（２）皮膚の皮脂量と水分量とを測定し、得られた測定値を、皮脂量を示す軸と水分量を示す軸が作る座標平面上にプロットし、プロット特性より判定することを特徴とすることを特徴とする、（１）に記載の鑑別法。
（３）（２）に記載の鑑別法において、予め、皮膚の水分量軸と、皮脂量軸の作る座標平面に、面皰を起こしやすい人達の群のデータと、正常な肌の人たちの群のデータとを両者のプロットが区別できる状況にプロットしておき、被験者の皮膚の水分量と皮脂量の座標をプロットし、どちらの群に属する方が妥当かを判断することを特徴とする、（２）に記載の鑑別法。
【発明の効果】
【０００８】
本発明によれば、より的確に、且つ、より簡便に皮膚の面皰の起こしやすさを鑑別できる手段が提供できる。この様なより的確な、且つ、より簡便な、皮膚の面皰の起こしやすさの鑑別により、肌に適した化粧料を選択することが出来、以て、不適切な化粧料の選択により、重篤な面皰を発生するのを防ぐことが出来る。
【発明を実施するための最良の形態】
【０００９】
本発明の鑑別法は、皮膚に於ける面皰の出来やすさを鑑別する方法であって、皮膚に於ける皮脂量と水分量とを指標とし鑑別することを特徴とする。かかる皮脂量の測定については、既に幾つかの方法が知られており、それらを利用することが出来る。かかる方法としては、例えば、曇ガラスなどを皮膚に押しつけ、皮脂によって曇ガラスが透明になる度合いにより、測定する方法、皮膚上にカップを押しつけ、クロロホルムを満たし、これを回収し、この中の皮脂量を分析、定量する方法或いは、市販されている、皮脂量定量専用の機器による測定などが例示でき、皮脂量定量専用の機器による測定が特に好ましい。かかる機器として特に好ましいものは、Courage+Khazaka社製のSebumeter SM810が特に好適に例示できる。本発明の鑑別法においては、皮膚、取り分け面皰の発生部位を含む顔の皮膚の皮脂量を測定し、指標とする。顔の皮膚としては、頬部が特に好適に例示できる。これは、測定値の再現性が良好であるためである。これは額或いは小鼻などの、皮脂分泌の多い、所謂Ｔゾーンにおいては、皮脂の分泌量が経時的に著しく変動するためである。
【００１０】
更に、本発明の鑑別法では、皮膚の水分量を指標に加えて鑑別する。かかる指標を加えることにより、正常な皮膚のプロットと、面皰を起こしやすい皮膚のプロットの皮脂量の軸に於ける重なり部分を、二次元に展開し、明確に区別できるように出来るためである。この様な皮膚に於ける水分測定は、既に化粧料或いは皮膚科学の分野で行われている方法によって行えば良く、この様な方法としては、例えば、皮膚のコンダクタンスから、皮膚の水分量を推定する、スキコン１００（ＥＢコーポレーション製）、Corneometer CM825（Courage+Khazaka社製）等が好適に例示できる。
【００１１】
この様な、測定した、皮膚の皮脂量と、水分量より、面皰が出来やすいか否かを鑑別するためには、予め、面皰の多く発生している人達からなる群の水分量の測定値、及び、皮脂量の測定値からなる座標点と、正常な肌の人達からなる群の水分量の測定値、及び、皮脂量の測定値からなる座標点とを、皮膚の水分量軸と、皮脂量軸の作る座標平面に、両者のプロットが区別できる状況にプロットしておき、これに被験者の座標をプロットし、平面上でのプロットにおいて、被験者のプロットがどちらの群のプロットに近いかを判別し、面皰が出来やすいのか否かを鑑別する手技が好ましく例示できる。これをステップ分けして、示すと以下の通りになる。
【００１２】
（ステップ１）不特定多数の対象の中から面皰の出来やすい人を、面皰の発生状況を観察しながら選択し、頬部の皮脂量と、水分量とを計測し、皮膚の水分量軸と、皮脂量軸の作る座標平面にプロットする。この時、例数としては２０以上が好ましく、より好ましくは３０以上である。
（ステップ２）不特定多数の対象の中から面皰の出来にくい人を、面皰の発生状況と、本人の面皰についてのアンケートの回答の内容から選別し、頬部の皮脂量と、水分量とを計測し、（ステップ１）の座標平面に、（ステップ１）とは区別できる状況でプロットする。
（ステップ３）面皰の出来やすさを鑑別しようとする人の頬部の皮脂量と、水分量とを計測し、（ステップ２）の平面にプロットする。このプロットがどちらの群に近い位置にあるかを判別して、近い群に帰属する。
【００１３】
この様な、手技により、面皰が肉眼で観察できない状況であっても、或いは、被験者自身が誤った認識を面皰の出来やすさに抱いていたとしても、客観的に、且つ、的確にこの被験者の面皰の出来やすさを鑑別できる。
【００１４】
この様な客観的、且つ、的確な面皰の出来やすさの鑑別により、適切な化粧料を選択し、面皰が多数発生したり、僅かに存在する面皰が増悪したりすることを防ぐことが出来る。
【００１５】
面皰の出来やすい人に好適な化粧料としては、皮脂成分の除去に好適な、ジグリセリンテトラオレートやラウロイルサルコシンイソプロピル等を含有するクレンジング料による、皮脂の除去、イソプレングリコールや１，４−ブタンジオールなどの面皰を起こしにくい保湿剤とビサボポール等のアクネ菌の生育を阻害する物質を含有する化粧料であって、油脂の含有量の少ない化粧料による保湿が好ましく例示できる。更に、著しい面皰に対しては、アスコルビン酸及び／又はその塩、アスコルビン酸リン酸及び／又はその塩、アスコルビン酸グルコシド及び／又はその塩を４〜１０質量％含有する化粧料による処置が好適に例示できる。この様な化粧料の例を以下に示す。
【００１６】
（クレンジング化粧料）
グリセリン                                ７５    質量部
イソプレングリコール                        ５    質量部
１，３−ブタンジオール                    １５    質量部
「エルデュウＳＬ−２０５」                  ４    質量部
（ラウロイルサルコシンイソプロピル）
カルボマー                                  ０．４質量部
水                                          ０．３質量部
トリエタノールアミン                        ０．３質量部
【００１７】
（化粧水）
イソプレングリコール                        ５    質量部
ビサボポール                                ０．１質量部
フェノキシエタノール                        ０．５質量部
水                                        ９４．４質量部
【００１８】
（重篤なニキビ用の化粧料）
ポリエチレングリコール１５００              １    重量部
１，３−ブタンジオール                      ６    重量部
グリセリン                                  ２    重量部
エタノール                                  ７    重量部
クエン酸                                ０．０３５重量部
クエン酸ナトリウム                          ０．５重量部
グリチルリチン酸２カリウム                  ０．１重量部
エキス１                                    ０．１重量部
エキス４                                    ０．１重量部
エキス５                                    ０．１重量部
シラカバエキス（一丸ファルコス（株））       ０．１重量部
トリメチルグリシン                          ０．１重量部
ロイヤルゼリー                              ０．１重量部
アスコルビン酸リン酸２ナトリウム塩          ５    重量部
フェノキシエタノール                        ０．３重量部
ＰＯＥ（６０）硬化ヒマシ油                  ０．１重量部
水                                    ７７．４６５重量部
【実施例】
【００１９】
以下に、実施例を挙げて本発明について更に詳細に説明を加えるが、本発明が、かかる実施例にのみ限定を受けないことは言うまでもない。
【００２０】
＜実施例１＞
皮膚科形成外科に来院した経験のあるアクネ患者を応募により選択し、同意が得られた385名にアンケート調査を実施した。さらにその中から通院回数の少ない患者103名を対象として肌調査を実施した。肌調査は皮膚の水分量の測定と皮脂量の測定とし、測定部位は頬部を用いた。対照としてアクネがあまりできない女性を健常人として用いた。（アンケート173名、肌測定35名）測定条件としては、クレンジング料による化粧落としと水性洗顔料による洗顔を行い、１５分安静にした後測定を開始した。測定室は温度２１±２℃、湿度５０±５％ＲＨでコントロールした。水分量の測定は、洗顔後15分、頬について、Courage+Khazaka社製  Corneometer CM825を用いて行った。皮脂量の測定は、洗顔後60分、頬について、Courage+Khazaka社製  Sebumeter SM810を用いて行った。結果を図１に示す。この図より、面皰群と、健常群では皮脂量が著しく異なり、一応の目安としては、皮脂量を１００μｇ／ｃｍ２以上の場合に、より好ましくは１２０μｇ／ｃｍ２以上の場合に区切ることにより、両軍の区別が出来ることが判る。更に、詳細に見てみると、皮脂量が少ない場合でも面皰を生じやすい人たちが存し、この様な人たちは、更に水分軸を加え、プロットを二次元に展開することにより、より精密に鑑別することが出来ることが判る。同時に、額、顎、フェイスラインについても、水分量と皮脂量を測定した。頬部のデータを加えて、これらの比較を図２、図３に示す。これらの比較より、水分量、皮脂量とも面皰群と健常群の差の大きい頬部が測定部位として好適なことが判る。
【００２１】
＜実施例２＞
任意に選抜したボランティアの皮膚の水分量と、皮脂量とを実施例１の方法に従って測定したところ、皮脂量１２２μｇ／ｃｍ２であり、水分量が４０μｇ／ｃｍ２であった。これよりこの人は面皰の出来やすい人と判定された。この人は、自分の認識では「面皰は特に出来やすいとは思わない」と言う認識であったが、前記のニキビ用のクレンジング化粧料と、ニキビ用の化粧水を勧めて、使用してもらったところ、肌の状態は著しく向上したとの報告を受けた。これより、本発明の鑑別法により、的確に面皰の出来やすさが鑑別でき、適切な化粧料が選択できることが判る。
【００２２】
＜実施例３＞
皮膚の調子が思わしくないと自認しているパネラー４３名を集め、無作為に２１名の第１群と、２２名の群の第２群に分けた。第１群は、自己の認識に従って、面皰の出来やすい人か否かを判断してもらい、第２群は実施例２と同様に皮脂量と水分量から面皰が出来やすいか否かを鑑別した。両群とも、「面皰の出来やすい人」には、前記の面皰用のクレンジングと化粧水を渡し、「面皰の出来にくい人」には、下記のクレンジングと化粧水を渡し、４週間使用してもらい、試験終了後、肌の改善の度合いを、評点５：著しく改善、評点４：明瞭に改善、評点３：やや改善、評点２：不変、評点１：悪化の基準で評価してもらった。表１にこれらの結果を平均評点として示す。これより、本発明の鑑別法により面皰の出来やすさを鑑別することにより、適切な化粧料の選択が為しうることが判る。又、面皰が出来やすいのに、「面皰が出来にくい」と自認している人が多く、これが肌トラブルの原因となっていることが判る。
【００２３】
（クレンジング化粧料）
グリセリン                                ７５    質量部
１，３−ブタンジオール                    ２０    質量部
セチルイソオクタネート                      ４    質量部
カルボマー                                  ０．４質量部
水                                          ０．３質量部
トリエタノールアミン                        ０．３質量部
【００２４】
（化粧水）
１，３−ブタンジオール                      ５    質量部
ヒアルロン酸ナトリウム                      ０．１質量部
フェノキシエタノール                        ０．５質量部
水                                        ９４．４質量部
【００２５】
【表１】
2005111103.tif 000002
【産業上の利用可能性】
【００２６】
本発明は、ニキビ用の化粧料を適切に使用するアドバイスシステムに応用できる。
【図面の簡単な説明】
【００２７】
【図１】実施例１のプロットの結果を示す図である。
【図２】実施例１の水分量の測定部位差を示す図である。
【図３】実施例１の皮脂量の測定部位差を示す図である。
【図１】
2005111103.tif 000003
【図２】
2005111103.tif 000004
【図３】
2005111103.tif 000005